(57)【特許請求の範囲】
【請求項１】
所定形状の底壁の周縁に側壁を立設して上方を開放したネックピースアッパーと、このネックピースアッパーの底壁に立設された支持軸と、この支持軸に軸支された首振り角度調節用レバーと、ネックピースアッパーの上方開放部を閉蓋するとともにネックピースアッパーの底壁との間でレバーを回動可能に介挿するプレートと、一方端部が扇風機の頭部に装着され他方端部がレバーに装着された首振り用リンクとを備えてなり、
レバーの上面に上方へ開口した略半球状凹所が設けられ、プレートに複数の係合穴が設けられ、この凹所に鋼球がその上半部を突出させた状態に嵌め込まれており、レバーの回動操作時に前記鋼球の頂部がプレートの下面を摺動して前記係合穴に係合することでレバーを複数の所定位置に保持するように構成され、
レバーの下面に、レバーをネックピースアッパーの底壁で支持する支持部が突設され、
プレートは、両側縁のうち前記支持軸に近い方の側縁が、前記支持軸のみで固定され、反対側側縁が、略全体にわたって上下方向への移動を規制され、
ネックピースアッパーの底壁に、レバーの回動操作時に前記支持部が摺動する溝であって、ネックピースアッパーの両側壁のうち前記支持軸に近い方の側壁から対向側壁へ向かって下り勾配をなす傾斜状の溝が設けられている
ことを特徴とする扇風機の首振り角度調節装置。
【請求項２】
前記溝は、プレートにおける複数の係合穴のうち前記反対側側縁に一番近い係合穴に前記鋼球の頂部が係合したときに、前記支持部の支持点における溝深さが、前記鋼球の頂部のその係合穴への係合深さに略等しくなるように設けられていることを特徴とする請求項１に記載の扇風機の首振り角度調節装置。
【請求項３】
前記支持部は、レバーの下面から突出する円筒状突出部により構成されていることを特徴とする請求項１または２に記載の扇風機の首振り角度調節装置。
【請求項４】
前記プレートは、前記反対側側縁が、ネックピースアッパーの前記対向側壁の上縁に形成された係合用爪部の下側へ差し込まれることで上下方向への移動が規制されていることを特徴とする請求項１〜３のいずれか１つに記載の扇風機の首振り角度調節装置。
【請求項５】
前記溝は、その平面形状が、前記支持軸の中心を中心とする、半径方向に所定寸法の幅をなす略円弧状に構成されていることを特徴とする請求項１〜４のいずれか１つに記載の扇風機の首振り角度調節装置。
【発明の詳細な説明】
【０００１】
【発明の属する技術分野】
本発明は、扇風機の首振り角度調節装置に関するものでる。
【０００２】
【従来の技術】
従来の扇風機の首振り角度調節装置は、図８〜図１２に示すように、首振り角度調節用レバー１０５が、ネックピース１０２の内部に立設された支持軸１０４に軸支され、使用者がこのレバー１０５を手で回動させて選択した所定位置に置くことで、扇風機１００の首振り角度が複数段に切り換えられるように構成されている。
【０００３】
これをさらに具体的に説明する。ネックピース１０２は、支柱１１５の上端部に取り付けられて扇風機１００の頭部１０１を上下回動可能に軸支するネックピースロアー１１６と、ネックピースロアー１１６の上に配置された、略船形状に上方が開放されているネックピースアッパー１０３とから主として構成されている（図８参照）。
【０００４】
そして、首振り角度調節装置は、ネックピースアッパー１０３（図９参照）と、ネックピースアッパー１０３の底壁１０３ｇに立設された支持軸１０４（図９参照）と、支持軸１０４に軸支される首振り角度調節用レバー１０５（図１０参照）と、ネックピースアッパー１０３の上部開口部を閉蓋するとともに、底壁１０３ｇとの間にレバー１０５を回動可能に介挿するように装着したプレート１０６（図１２参照）と、一方端部が頭部１０１に装着され他方端部がレバー１０５に装着された首振り用リンク（図示略）とから構成されている。
【０００５】
レバー１０５は、その全体形状が図１０および図１１に示すようなものであり、その長さの略中間部には、ねじ穴１０４ａを有する支持軸１０４に嵌められて軸支される軸支部１２０が設けられている。１２１は、軸支部１２０から所定幅で延出されているレバー本体部であり、レバー本体部１２１の上面における長さ中間部には、上方へ開口した略半球状凹所１０５ａが設けられている。この凹所１０５ａには、鋼球１０７が上半部を突出させた状態に嵌め込まれている。レバー本体部１２１の下面には、凹所１０５ａの真下に突出部１０５ｂが設けられている。突出部１０５ｂは、レバー１０５の回動操作時にネックピースアッパー１０３の底壁１０３ｇに当接した状態で摺動するレバー１０５の支持部である。
【０００６】
図１２に示すように、プレート１０６には、レバー１０５の回動操作に伴い鋼球１０７の係合する３つの穴１０８、１０９、１１０が設けられている。そして、レバー１０５の凹所１０５ａに嵌め込まれた鋼球１０７をプレート１０６における３つの穴１０８、１０９、１１０のいずれかに係合させることで、扇風機１００の首振り角度を所望のもの（例えば４０度、６０度および８０度のうちの１つ）に設定することができるようになっている。プレート１０６には、支持軸１０４に対応する位置にねじ穴を有する固定部１１１が形成されている。
【０００７】
プレート１０６の取り付けは、以下のようにして行う。まず、レバー１０５を軸支部１２０でネックピースアッパー１０３の支持軸１０４に嵌める。その後、プレート１０６の支持軸１０４に近い方の側縁（以下、一方側縁という）の下面の一部を、ネックピースアッパー１０３の支持軸１０４に近い方の側壁（以下、一方側壁という）に内方突出状に一体形成された第１載置部１０３ａおよび第２載置部１０３ｂに載置し、プレート１０６の前記一方側縁に対向する側縁（以下、他方側縁という）の下面の一部を、ネックピースアッパー１０３の前記一方側壁に対向する側壁（以下、他方側壁という）に内方突出状に一体形成された第３載置部１０３ｃおよび第４載置部１０３ｄに載置する。次いで、図１１および図１３に示すように、プレート１０６の前記一方側縁の大部分を、ネックピースアッパー１０３の前記一方側壁の上縁に内方突出状に一体形成された係合用爪部１０３ｅの下側へ入れて爪部１０３ｅに係合させる。また、プレート１０６の他方側縁の大部分を、ネックピースアッパー１０３の他方側壁の上縁に内方突出状に一体形成された係合用爪部１０３ｆの下側へ入れて爪部１０３ｆに係合させる。最後に、プレート１０６の固定部１１１のねじ穴を支持軸１０４のねじ穴１０４ａに一致させ、ねじ部材１１２により支持軸１０４に取り付ける。以上のようにして、図１２に示すような首振り角度調節装置が得られる。
【０００８】
前記従来の首振り角度調節装置は、鋼球１０７がプレート１０６の３つの穴１０８、１０９、１１０の間を移動するときには、鋼球１０７の頂部がプレート１０６の下面に接触しながら移動し、図１３に示すように、鋼球１０７が穴１０８、１０９、１１０のいずれかの位置に来たときは、鋼球１０７の頂部が穴１０８、１０９、１１０のいずれかに係合することにより、所望の首振り角度に設定しようとしたものである。従って、レバー１０５とプレート１０６との間の寸法は、鋼球１０７が穴１０８、１０９、１１０の間にあるときと、鋼球１０７が穴１０８、１０９、１１０のいずれかの位置にあるときとで、変化させる必要がある。前記従来の首振り角度調節装置は、プレート１０６が上方へ撓むことにより、レバー１０５とプレート１０６との間の寸法の調整を行い、レバー１０５を所定角度位置に選択的に回動可能に、かつ、レバー１０５を所定角度位置に選択的に保持可能としたものである。
【０００９】
なお、前記従来の首振り角度調節装置は、それ以前の首振り角度調節装置に採用されていた構造、つまり、レバー１０５の凹所１０５ａに鋼球１０７を上方へ付勢するための圧縮コイルばねを嵌め込んだ構造を改良したもので、圧縮コイルばねを不要とすることにより、コスト削減を図ったものである。
【００１０】
【発明が解決しようとする課題】
しかしながら、この従来の首振り角度調節装置にあっては、鋼球１０７とプレート１０６との間に大きな抵抗ができ、レバー１０５を回動させる操作力が大きくなる欠点があった。すなわち、レバー１０５の突出部１０５ｂは、鋼球１０７に働く力を直接受けるために凹所１０５ａの真下に設けられており（図１０および図１１参照）、レバー１０５の所定位置への回動はプレート１０６を撓ませることにより行われているが、プレート１０６は、両側縁が略全体にわたり上方への移動が規制されているため、特にプレート１０６が上方へ撓みまたは移動しにくい構造となっていた。このため、それ以前の首振り角度調節装置に比べて、レバー１０５とプレート１０６との摩擦力が大きくなってレバー操作力が大きくなり、レバー１０５をスムーズに動かすことができず、特に、プレート１０６における３つの穴１０８、１０９、１１０のうち中間の穴１０９がある位置でレバー１０５の回動を止めることがやや困難であった。
【００１１】
本発明は、このような実情に鑑みてなされたものであり、その課題は、レバーの回動操作を大きな操作力によることなくスムーズに行うことのできる扇風機の首振り角度調節装置を提供することにある。
【００１２】
【課題を解決するための手段】
本発明によれば、所定形状の底壁の周縁に側壁を立設して上方を開放したネックピースアッパーと、このネックピースアッパーの底壁に立設された支持軸と、この支持軸に軸支された首振り角度調節用レバーと、ネックピースアッパーの上方開放部を閉蓋するとともにネックピースアッパーの底壁との間でレバーを回動可能に介挿するプレートと、一方端部が扇風機の頭部に装着され他方端部がレバーに装着された首振り用リンクとを備えてなり、レバーの上面に上方へ開口した略半球状凹所が設けられ、プレートに複数の係合穴が設けられ、この凹所に鋼球がその上半部を突出させた状態に嵌め込まれており、レバーの回動操作時に前記鋼球の頂部がプレートの下面を摺動して前記係合穴に係合することでレバーを複数の所定位置に保持するように構成され、レバーの下面に、レバーをネックピースアッパーの底壁で支持する支持部が突設され、プレートは、両側縁のうち前記支持軸に近い方の側縁が、前記支持軸のみで固定され、反対側側縁が、略全体にわたって上下方向への移動を規制され、ネックピースアッパーの底壁に、レバーの回動操作時に前記支持部が摺動する溝であって、ネックピースアッパーの両側壁のうち前記支持軸に近い方の側壁から対向側壁へ向かって下り勾配をなす傾斜状の溝が設けられていることを特徴とする扇風機の首振り角度調節装置が提供される。
【００１３】
本発明に係る扇風機の首振り角度調節装置にあっては、このように構成することにより、レバーの略半球状凹所の上面を、レバーが前記反対側側縁に近づくように回動されるにつれ下方へ沈ませている。すなわち、この発明では、レバーを回動させるのに必要なレバーとプレートとの間の寸法調整を、従来と同様にプレートを上方へ撓ませることと、レバーの回動操作時にレバーの支持部をネックピースアッパーの底壁に設けた傾斜状の溝で摺動させてレバーの略半球状凹所の上面を下方へ沈ませることとにより行なっている。これにより、より大きい寸法調整代が確保される。その結果、前記鋼球の頂部によりプレートの下面にかかる上向き押圧力を、プレートの両側縁のうち支持軸に近い方の側縁の摺動部分と反対側側縁の摺動部分とで略一定にすることができる。従って、レバーの回動操作を、大きな操作力によることなくスムーズに行うことが可能になる。
【００１４】
前記溝は、プレートにおける複数の係合穴のうち前記反対側側縁に一番近い係合穴に前記鋼球の頂部が係合したときに、前記支持部の支持点における溝深さが、前記鋼球の頂部のその係合穴への係合深さに略等しくなるように設けるのが好ましい。
【００１５】
溝をこのように設けることで、前記押圧力を前記鋼球の頂部の全摺動部分で略一定にするとともに、鋼球の頂部が複数の係合穴のすべてに確実に係合することを保証する。
【００１６】
前記支持部は、レバーの下面から突出する円筒状突出部により構成することが好ましい。
【００１７】
支持部をこのように構成すれば、支持部をこれ以外の形状、例えば角筒状の突出部により構成した場合に比べて、支持部の前記溝内における摺動をスムーズに行わせることができ、安定したレバー回動操作が確保される。
【００１８】
前記プレートは、前記反対側側縁を、ネックピースアッパーの前記対向側壁の上縁に形成された係合用爪部の下側へ差し込むことで上下方向への移動を規制するように構成してもよい。
【００１９】
プレートをこのように構成すれば、プレートの前記支持軸に近い方の側縁だけを例えばねじ止めなどの簡単な作業により前記支持軸に固定するだけで足りるので、プレートをネックピースアッパーへ簡単に取り付けることができる。
【００２０】
前記溝は、その平面形状が、前記支持軸の中心を中心とする、半径方向に所定寸法の幅をなす略円弧状に構成することができる。
【００２１】
溝の平面形状をこのような略円弧状に構成すれば、前記支持部の溝内での摺動がよりスムーズになり、安定したレバー回動操作を確保することができる上、溝を他の平面形状、例えば長方形に構成する場合に比べて、ネックピースアッパーのうち薄肉になる溝部分の平面積を小さくすることでその体積を小さくし、ネックピースアッパーの強度低下を防止することが可能になる。
【００２２】
【発明の実施の形態】
以下、本発明に係る1つの実施の形態を図面に基づいて説明する。なお、これによって本発明が限定されるものではない。
【００２３】
図１〜図６に示すように、本発明の実施の形態に係る扇風機の首振り角度調節装置Ｄは、首振り角度調節用レバー６が、ネックピース３の内部に立設された支持軸５に軸支され、使用者がこのレバー６を手で回動させて選択した所定位置に置くことで、扇風機１の首振り角度が複数段に切り換えられるように構成されている。
【００２４】
以下、これをさらに詳しく説明する。ネックピース３は、支柱３１の上端部に取り付けられて扇風機１の頭部２を上下回動可能に軸支するネックピースロアー７と、ネックピースロアー７の上に載置された、略船形状に上方が開放されているネックピースアッパー４とから主として構成されている（図１参照）。
【００２５】
そして、首振り角度調節装置Ｄは、ネックピースアッパー４（図２参照）と、ネックピースアッパー４の内部に立設された、中心部にねじ穴５ａを有する支持軸５（同上）と、支持軸５に略水平回動可能に軸支される首振り角度調節用レバー６（図３ａおよび図３ｂ参照）と、ネックピースアッパー４の上部を閉蓋するとともに、ネックピースアッパー４の底壁１５との間にレバー６を回動可能に介挿するプレート８（図４参照）と、一方端部が扇風機１の頭部２に装着され他方端部がレバー６に装着された首振り用リンク（図示略）とから構成されている。
【００２６】
レバー６は、プラスチック一体成形品であり、特に図３ａおよび図３ｂに示すように、その長さの略中間部には、支持軸５に嵌められて軸支される軸支部２０が設けられている。２１は、軸支部２０から延出状に一体成形されたレバー本体部であり、このレバー本体部２１の上面における長さ中間部には、上方へ開口した略半球状凹所２２が設けられている。凹所２２には、プレート８の下面で摺動するように配置されるステンレス鋼球２３が、略半分ほど没した状態に嵌め込まれるようになっている。
【００２７】
レバー本体部２１の下面には、凹所２２の真下に、レバー本体部２１をネックピースアッパー４の底壁１５で支持するレバー支持部としての円筒状突出部２４が設けられている。突出部２４は、レバー６の回動操作時にネックピースアッパー４の底壁１５に当接した状態で摺動するレバー６の支持部であり、下面（底壁１５を摺動する面）が平坦にされている。突出部２４の直径は、凹所２２の直径に略等しくされており、突出部２４の突出量は、以下に説明するようにしてレバー６を軸支部２０でネックピースアッパー４の支持軸５に嵌めたときに、レバー本体部２１が略水平に保持されるように設定されている（図３ａおよび図３ｂ参照）。
【００２８】
プレート８は、ステンレス鋼板から形成されており、特に図４に示すように、ネックピースアッパー４の支持軸５に近い方の側縁（以下、一方側縁という）には、支持軸５に対応する位置に固定部１６が一体形成されている。固定部１６にはねじ穴１６ａが設けられている。プレート８には、３つの係合穴１７、１８、１９が貫通状に設けられている。これらの穴１７、１８、１９は、固定部１６のねじ穴１６ａの中心を中心とする円弧の上に設けられている。これらの穴１７、１８、１９のうち、穴１７はプレート８の前記一方側縁に一番近いものであり、穴１９は、プレート８の前記一方側縁に対向する側縁（以下、他方側縁という）に一番近いものである。
【００２９】
ネックピースアッパー４は、プラスチック一体成形品であり、特に図２および図５に示すように、支持軸５に近い方の側壁である一方側壁９には、第１載置部１１および第２載置部１２が内方突出状に一体形成されており、一方側壁９に対向する側壁である他方側壁１０には、第３載置部１３および第４載置部１４が内方突出状に一体形成されている。他方側壁１０の上縁には、その略全体にわたって延びる係合用爪部１０ａが内方突出状に一体形成されている。
【００３０】
さらに、一方側壁９の前側端部には、内方突出状に一体形成された第１ストッパー部２５が設けられている。他方側壁１０の前側端部には、内方突出状に一体形成された第２ストッパー部２６が設けられている。第１ストッパー部２５および第２ストッパー部２６は、レバー６を回動させたときに、レバー本体部２１の側面がこれらに当接することで、レバー本体部２１の所定範囲を超える回動を阻止するように作用する。
【００３１】
ネックピースアッパー４の底壁１５には、レバー６の回動操作時に突出部２４が摺動する溝２７が設けられている。この溝２７は、特に図６に示すように、ネックピースアッパー４の一方側壁９から他方側壁１０へ向かって下り勾配をなす傾斜状のものである。また、この溝２７は、特に図７に示すように、その平面形状が、支持軸５の中心を中心とする、半径方向に所定寸法の幅をなす略円弧状に構成されている。
【００３２】
溝２７についてさらに詳しく説明する。溝２７の下り勾配および溝深さは、次のように設けられている。すなわち、特に図６に示すように、溝２７は、プレート８における３つの係合穴１７、１８、１９のうち前記他方側縁に一番近い係合穴１９に、レバー６の凹所２２に嵌め込まれ鋼球２３の頂部が係合したときに、突出部２４の支持点における溝深さが、鋼球２３の頂部のその係合穴１９への係合深さに略等しくなるように設けられている。
【００３３】
また、溝２７の平面形状である前記略円弧状の所定寸法の幅は、特に図７に示すように、ネックピースアッパー４の一方側壁９の近傍である第２載置部１２の基端から第１ストッパー部２５の基端までの距離にほぼ等しいものである。また、溝２７の円弧長さは、第２載置部１２の基端から第４載置部１４の基端までの長さにほぼ等しいものである。
【００３４】
プレート８の取り付けは、次のようにして行う。まず、レバー６を軸支部２０でネックピースアッパー４の支持軸５に嵌める。次に、プレート８の前記他方側縁を、ネックピースアッパー４の爪部１０ａの下側へ差し込んで爪部１０ａに係合させる。そして、プレート８のその他方側縁をネックピースアッパー４の第３載置部１３および第４載置部１４に載置する。その後、プレート８の前記一方側縁をネックピースアッパー４の第１載置部１１および第２載置部１２に載置する。最後に、プレート８の固定部１６のねじ穴１６ａをネックピースアッパー４の支持軸５のねじ穴５ａに一致させ、ねじ部材２８（図７参照）により支持軸５に取り付ける。以上のようにして、図７に示すような首振り角度調節装置Ｄが得られる。
【００３５】
首振り角度調節装置Ｄでは、以上のように、鋼球２３が、プレート８の前記一方側縁寄りの穴１７に係合したときに、レバー６に装着された首振り用リンクによる首振り角度が最大（例えば８０度）になり、中間の穴１８に係合したときに首振り角度が中間（例えば６０度）になり、前記他方側縁寄りの穴１９に係合したときに首振り角度が最小（例えば４０度）になる。
【００３６】
この首振り角度調節装置Ｄにあっては、レバー６の凹所２２の上面を、レバー６がプレート８の前記他方側縁に近づくように回動されるにつれ下方へ沈ませている。すなわち、この首振り角度調節装置Ｄでは、レバー６を回動させるのに必要なレバー６とプレート８との間の寸法調整を、従来と同様にプレート８を上方へ撓ませることと、レバー６の回動操作時にレバー６の突出部２４をネックピースアッパー４の底壁１５に設けた傾斜状の溝２７で摺動させてレバー６の凹所２２の上面を下方へ沈ませることとにより行なっている。これにより、より大きい寸法調整代が確保される。その結果、鋼球２３の頂部によりプレート８の下面にかかる上向き押圧力を、プレート８の前記一方側縁の摺動部分と前記他方側縁の摺動部分とで略一定にすることができる。従って、レバー６の回動操作を、大きな操作力によることなくスムーズに行うことが可能になる。
【００３７】
また、前記溝２７は、プレート８における３つの係合穴１７、１８、１９のうち前記他方側縁に一番近い係合穴１９に鋼球２３の頂部が係合したときに、支持部としての突出部２４の支持点における溝深さが、鋼球２３の頂部のその係合穴１９への係合深さに略等しくなるように設けられている。従って、前記押圧力を鋼球２３の頂部の全摺動部分で略一定にするとともに、鋼球２３の頂部が３つの係合穴１７、１８、１９のすべてに確実に係合することが保証される。
【００３８】
さらに、前記突出部２４は、レバー６の下面から突出する円筒状のものである。突出部２４をこれ以外の形状、例えば角筒状に構成した場合に比べて、突出部２４の溝２７内における摺動をスムーズに行わせることができ、安定したレバー回動操作が確保される。
【００３９】
加えて、プレート８は、前記他方側縁を、ネックピースアッパー４の他方側壁１０の上縁に形成された係合用爪部１０ａの下側へ差し込むことで上下方向への移動を規制するように構成されている。従って、プレート８の前記一方側縁だけを例えばねじ部材２８によるねじ止めなどの簡単な作業により支持軸５に固定するだけで足りるので、プレート８をネックピースアッパー４へ簡単に取り付けることができる。
【００４０】
しかも、溝２７は、その平面形状が、支持軸５の中心を中心とする、半径方向に所定寸法の幅をなす略円弧状に構成されている。従って、突出部２４の溝２７内での摺動がよりスムーズになり、安定したレバー回動操作を確保することができる上、溝２７を他の平面形状、例えば長方形に構成する場合に比べて、ネックピースアッパー４のうち薄肉になる溝２７部分の平面積を小さくすることでその体積を小さくし、ネックピースアッパー４の強度低下を防止することが可能になる。
【００４１】
【発明の効果】
請求項１に係る扇風機の首振り角度調節装置によれば、レバーを回動させるのに必要なレバーとプレートとの間の寸法調整を、従来と同様にプレートを上方へ撓ませることと、レバーの回動操作時にレバーの支持部をネックピースアッパーの底壁に設けた傾斜状の溝で摺動させてレバーの略半球状凹所の上面を下方へ沈ませることとにより行なっている。これにより、より大きい寸法調整代が確保され、その結果、前記鋼球の頂部によりプレートの下面にかかる上向き押圧力を、プレートの両側縁のうち支持軸に近い方の側縁の摺動部分と反対側側縁の摺動部分とで略一定にすることができる。従って、レバーの回動操作を、大きな操作力によることなくスムーズに行うことが可能になる。
【００４２】
請求項２に係る扇風機の首振り角度調節装置によれば、前記溝は、プレートにおける複数の係合穴のうち前記反対側側縁に一番近い係合穴に前記鋼球の頂部が係合したときに、前記支持部の支持点における溝深さが、前記鋼球の頂部のその係合穴への係合深さに略等しくなるように設けられている。従って、前記押圧力を前記鋼球の頂部の全摺動部分で略一定にすることができるとともに、鋼球の頂部が複数の係合穴のすべてに確実に係合することが保証される。
【００４３】
請求項３に係る扇風機の首振り角度調節装置によれば、前記支持部は、レバーの下面から突出する円筒状突出部により構成それている。従って、支持部をこれ以外の形状、例えば角筒状の突出部により構成した場合に比べて、支持部の前記溝内における摺動をスムーズに行わせることができ、安定したレバー回動操作が確保される。
【００４４】
請求項４に係る扇風機の首振り角度調節装置によれば、前記プレートは、前記反対側側縁を、ネックピースアッパーの前記対向側壁の上縁に形成された係合用爪部の下側へ差し込むことで上下方向への移動を規制するように構成されている。従って、プレートの前記支持軸に近い方の側縁だけを例えばねじ止めなどの簡単な作業により前記支持軸に固定するだけで足りるので、プレートをネックピースアッパーへ簡単に取り付けることができる。
【００４５】
請求項５に係る扇風機の首振り角度調節装置によれば、前記溝は、その平面形状が、前記支持軸の中心を中心とする、半径方向に所定寸法の幅をなす略円弧状に構成されている。従って、前記支持部の溝内での摺動がよりスムーズになり、安定したレバー回動操作を確保することができる上、溝を他の平面形状、例えば長方形に構成する場合に比べて、ネックピースアッパーのうち薄肉になる溝部分の平面積を小さくすることでその体積を小さくし、ネックピースアッパーの強度低下を防止することが可能になる。
【図面の簡単な説明】
【図１】図１は、本発明の実施の形態に係る首振り角度調節装置が組み込まれた扇風機の要部拡大側面図である。
【図２】図２は、図１の首振り角度調節装置の一部を構成するネックピースアッパーの斜視図である。
【図３】図３ａは、図１の首振り角度調節装置の一部を構成する首振り角度調節用レバーの斜視図である。図３ｂは、図３ａのレバーの正面図である。
【図４】図４は、図１の首振り角度調節装置の一部を構成するプレートの斜視図である。
【図５】図５は、図２のネックピースアッパーの平面図である。
【図６】図６は、図１の首振り角度調節装置の機能を説明する断面図である。
【図７】図７は、図１の首振り角度調節装置の斜視図である。
【図８】図８は、従来の首振り角度調節装置が組み込まれた扇風機の要部拡大側面図である。
【図９】図９は、図８の首振り角度調節装置の一部を構成するネックピースアッパーの斜視図である。
【図１０】図１０は、図８の首振り角度調節装置の一部を構成する首振り角度調節用レバーの斜視図である。
【図１１】図１１は、図１０のレバーの正面図である。
【図１２】図１２は、図８の首振り角度調節装置の斜視図である。
【図１３】図１３は、図８の首振り角度調節装置の機能を説明する断面図である。
【符号の説明】
１    扇風機
２    頭部
４    ネックピースアッパー
５    支持軸
６    首振り角度調節用レバー
８    プレート
９    一方側壁
１０    他方側壁
１１    第１載置部
１２    第２載置部
１３    第３載置部
１４    第４載置部
１５    底壁
１６    固定部
１７    係合穴
１８    係合穴
１９    係合穴
２０    軸支部
２１    レバー本体部
２２    凹所
２３    鋼球
２４    突出部
【図１】
0004651247.tif 000002
【図２】
0004651247.tif 000003
【図３】
0004651247.tif 000004
【図４】
0004651247.tif 000005
【図５】
0004651247.tif 000006
【図６】
0004651247.tif 000007
【図７】
0004651247.tif 000008
【図８】
0004651247.tif 000009
【図９】
0004651247.tif 000010
【図１０】
0004651247.tif 000011
【図１１】
0004651247.tif 000012
【図１２】
0004651247.tif 000013
【図１３】
0004651247.tif 000014